(57)【要約】【課題】衛生マスクを装着した時に感じる息苦しさを改善すると共に、前記衛生マスク本体の裏面の外周近傍に接着固定された枠体の中央部に設けられた空洞部に排気に含まれている水蒸気をプールしておいて該空洞部内における保湿を高めることにより吸気における保湿を高め、しかも、衛生マスクを装着したときの違和感を感じさせない衛生マスクを提供する。【解決手段】１枚又は２枚以上の通気性を有する材料で形成された衛生マスク本体１と、前記衛生マスク本体１の裏面の外周近傍に接着固定された通気性及び保湿性を有する材料で形成された柔軟な枠体４と、前記枠体４の中央部に設けられた空洞部５と、を有している衛生マスク１０とする。【選択図】図１
2009247614.tif 000002
【特許請求の範囲】
【請求項１】
１枚又は２枚以上の通気性を有する材料で形成された衛生マスク本体と、前記衛生マスク本体の裏面の外周近傍に接着固定された通気性及び保湿性を有する材料で形成された柔軟な枠体と、前記枠体の中央部に設けられた空洞部と、を有していることを特徴とする衛生マスク。
【請求項２】
前記柔軟な枠体が、ポリエステル、セルロース繊維及びアクリル繊維から選ばれる繊維を構成繊維とする不織繊維ウエッブ又は不織布で構成され、前記枠体の厚さｔが、５〜２０ｍｍであり、前記枠体の幅ｄが、１０〜３５ｍｍであり、そして、前記枠体の目付量が、１００〜３５０ｇ／ｍ2 であることを特徴とする請求項１に記載の衛生マスク。
【請求項３】
前記柔軟な枠体が、連続気泡を有するウレタン発泡体で構成され、前記枠体の厚さｔが、５〜２０ｍｍであり、そして、前記枠体の幅ｄが、１０〜３５ｍｍであることを特徴とする請求項１に記載の衛生マスク。
【請求項４】
前記枠体の外周の形状が衛生マスク本体の外周の形状と同じであり、そして、前記枠体の内周の形状が矩形、楕円形、円形、又は、三角形であることを特徴とする請求項１〜３のいずれか１項に記載の衛生マスク。
【請求項５】
前記枠体の上辺中央部分の鼻に接触する内周の部分に、鼻にフィットさせるための切り欠きが設けられていることを特徴とする請求項１〜４のいずれか１項に記載の衛生マスク。
【請求項６】
前記枠体が、前記衛生マスク本体の裏面の外周近傍に両面接着テープ、ホットメルト接着剤、液状接着剤、超音波溶接、又は、高周波ミシンで接着固定されていることを特徴とする請求項１〜５のいずれか１項に記載の衛生マスク。
【請求項７】
（イ）上縁部分に開口を有する平面視矩形のポケットが、前記衛生マスク本体を構成する前記２枚以上の通気性を有する材料における隣接する２枚の通気性を有する材料で構成され、
（ロ）前記ポケットが、前記枠体の中央に設けられた空洞部に対応する部分に配置され、そして、
（ハ）前記ポケットには、保液シートが挿入されている
ことを特徴とする請求項１〜６のいずれか１項に記載の衛生マスク。
【請求項８】
（イ）通気性を有する材料で形成された上縁部分に開口を有する平面視矩形の別体として形成されたポケットが、前記衛生マスク本体の裏面と前記枠体の表面との間に設けられ、
（ロ）前記ポケットが、前記枠体の中央に設けられた空洞部に対応する部分に配置され、そして、
（ハ）前記ポケットには、保液シートが挿入されている
ことを特徴とする請求項１〜６のいずれか１項に記載の衛生マスク。
【発明の詳細な説明】
【技術分野】
【０００１】
本発明は、通気性を低下させないで保湿性を向上させた衛生マスクに関する。
【背景技術】
【０００２】
従来においては、「筒体の底面を衛生マスク本体の裏面に着脱可能に接触させた衛生マスク用サポータ装置において、前記筒体が、円筒状のスカート部と、その底面に張設された通気性シートと、で構成され、そして、前記筒体の底面と前記衛生マスク本体との間に含水シートが着脱可能に挟持された衛生マスク用サポータ装置」（特許文献１を参照。）が提案されている。この衛生マスク用サポータ装置によれば、前記スカート部に空間を設けて呼吸しやすくすると共に、口紅が付着しないようし、そして、含水シートを挟持させて塵埃、花粉、雑菌が吸着されないようにしているが、衛生マスク用サポータ装置を装着した時に息苦しさを感じさせる、という問題があり、また、スカート部内の保湿が十分でない、という問題があった。
【０００３】
また、「柔軟でかつ通気性のある外皮（１）とそれに取り付けられたわく状で柔軟で通気性のない材料で作られた顔あて（２）と、外皮（１）と顔あて（２）によって形成された窪み（３）の中に有害ガスを無害化する吸着剤を装着した保護衛生マスク」（特許文献２を参照。）が提案されている。この保護衛生マスクによれば、吸気に含まれている有害ガスを吸着剤に吸着させて吸気を無害化することができるが、保護衛生マスクを装着した時に息苦しさを感じさせる、という問題があり、また、顔あて内の保湿が十分でない、という問題があった。
【０００４】
また、「人体と物品あるいは物品と物品を接して使用するときに生じる隙間の隙間処理材であって、物品は滅菌、除菌消臭処理した綿状繊維体を用いてつくり、形状保持の目的で綿状繊維体に適宜の位置に糸や樹脂で縫い込みなど処理したものに、片面あるいは両面に粘着剤と保湿紙を付けて帯状あるいは綿状に加工した綿状繊維体の人体隙間テープ」（特許文献３を参照。）が提案されている。この人体隙間テープによれば、衛生マスクに付けて、眼鏡の曇りを防止したり、また、衛生マスクと人体との隙間から埃等の進入を防止すりことができるが、この人体隙間テープを衛生マスクに取り付けた時に息苦しさを感じさせる、という問題があり、また、衛生マスク内の保湿が十分でない、という問題があった。
【特許文献１】実用新案登録第３１１０５６７号明細書
【特許文献２】特開平９−１４０８１３号公報
【特許文献３】特開２００６−２８０７２８号公報
【発明の開示】
【発明が解決しようとする課題】
【０００５】
本発明は、かかる問題を解決することを目的としている。
【０００６】
即ち、本発明は、衛生マスクを装着した時に感じる息苦しさを改善すると共に、前記衛生マスク本体の裏面の外周近傍に接着固定された枠体の中央部に設けられた空洞部に排気に含まれている水蒸気をプールしておいて該空洞部内における保湿を高めることにより吸気における保湿を高め、しかも、衛生マスクを装着したときの違和感を感じさせない衛生マスクを提供することができる。
【課題を解決するための手段】
【０００７】
請求項１に記載された発明は、上記目的を達成するために、１枚又は２枚以上の通気性を有する材料で形成された衛生マスク本体と、前記衛生マスク本体の裏面の外周近傍に接着固定された通気性及び保湿性を有する材料で形成された柔軟な枠体と、前記枠体の中央部に設けられた空洞部と、を有していることを特徴とする衛生マスクである。
【０００８】
請求項２に記載された発明は、請求項１に記載された発明において、前記柔軟な枠体が、ポリエステル、セルロース繊維及びアクリル繊維から選ばれる繊維を構成繊維とする不織繊維ウエッブ又は不織布で構成され、前記枠体の厚さｔが、５〜２０ｍｍであり、前記枠体の幅ｄが、１０〜３５ｍｍであり、そして、前記枠体の目付量が、１００〜３５０ｇ／ｍ2 であることを特徴とするものである。
【０００９】
請求項３に記載された発明は、請求項１に記載された発明において、前記柔軟な枠体が、連続気泡を有するウレタン発泡体で構成され、前記枠体の厚さｔが、５〜２０ｍｍであり、そして、前記枠体の幅ｄが、１０〜３５ｍｍであることを特徴とするものである。
【００１０】
請求項４に記載された発明は、請求項１〜３のいずれか１項に記載された発明において、前記枠体の外周の形状が衛生マスク本体の外周の形状と同じであり、そして、前記枠体の内周の形状が矩形、楕円形、円形、又は、三角形であることを特徴とするものである。
【００１１】
請求項５に記載された発明は、請求項１〜４のいずれか１項に記載された発明において、前記枠体の上辺中央の鼻に接触する内周の部分に、鼻にフィットさせるための切り欠きが設けられていることを特徴とするものである。
【００１２】
請求項６に記載された発明は、請求項１〜５のいずれか１項に記載された発明において、前記枠体が、前記衛生マスク本体の裏面の外周近傍に両面接着テープ、ホットメルト接着剤、液状接着剤、超音波溶接、又は、高周波ミシンで接着固定されていることを特徴とするものである。
【００１３】
請求項７に記載された発明は、請求項１〜６のいずれか１項に記載された発明において、
（イ）上縁部分に開口を有する平面視矩形のポケットが、前記衛生マスク本体を構成する前記２枚以上の通気性を有する材料における隣接する２枚の通気性を有する材料で構成され、
（ロ）前記ポケットが、前記枠体の中央に設けられた空洞部に対応する部分に配置され、そして、
（ハ）前記ポケットには、保液シートが挿入されている
ことを特徴とするものである。
【００１４】
請求項８に記載された発明は、請求項１〜６のいずれか１項に記載された発明において、
（イ）通気性を有する材料で形成された上縁部分に開口を有する平面視矩形の別体として形成されたポケットが、前記衛生マスク本体の裏面と前記枠体の表面との間に設けられ、
（ロ）前記ポケットが、前記枠体の中央に設けられた空洞部に対応する部分に配置され、そして、
（ハ）前記ポケットには、保液シートが挿入されている
ことを特徴とするものである。
【発明の効果】
【００１５】
請求項１，４に記載された本発明によれば、１枚又は２枚以上の通気性を有する材料で形成された衛生マスク本体と、前記衛生マスク本体の裏面の外周近傍に接着固定された通気性及び保湿性を有する材料で形成された柔軟な枠体と、前記枠体の中央部に設けられた空洞部と、を有しているので、衛生マスクを装着した時に感じる息苦しさを緩和することができると共に、前記衛生マスク本体の裏面の外周近傍に接着固定された枠体の中央部に設けられた空洞部における排気に含まれている水蒸気をプールしておいて該空洞部内の保湿を高めることにより吸気における保湿を高め、しかも、衛生マスクを装着したときの違和感を感じさせない衛生マスクを提供することができる。そして、請求項１に記載された本発明によれば、前記枠体の中央部に設けられた空洞部にプールされた水蒸気を含む吸気によって、上気道の粘膜が加湿されて湿潤に保たれるので、ウイルスの付着や増殖を防止することができ、また、花粉症の予防にも役立つ。
【００１６】
請求項２に記載された本発明によれば、前記柔軟な枠体が、ポリエステル、セルロース繊維及びアクリル繊維から選ばれる繊維を構成繊維とする不織繊維ウエッブ又は不織布で構成され、前記枠体の厚さｔが、５〜２０ｍｍであり、前記枠体の幅ｄが、１０〜３５ｍｍであり、そして、前記枠体の目付量が、１００〜３５０ｇ／ｍ2 であるので、衛生マスクを装着した時に感じる息苦しさをいっそう緩和することができると共に、前記衛生マスク本体の裏面の外周近傍に接着固定された枠体の中央部に設けられた空洞部における排気に含まれている水蒸気をプールしておいて該空洞部内の保湿をいっそう高めることにより吸気における保湿をいっそう高め、しかも、衛生マスクを装着したときの違和感をいっそう感じさせない衛生マスクを提供することができる。
【００１７】
請求項３に記載された本発明によれば、前記柔軟な枠体が、連続気泡を有するウレタン発泡体で構成され、そして、前記枠体の厚さｔが、５〜２０ｍｍであり、そして、前記枠体の幅ｄが、１０〜３５ｍｍであるので、衛生マスクを装着した時に感じる息苦しさをいっそう緩和することができると共に、前記衛生マスク本体の裏面の外周近傍に接着固定された枠体の中央部に設けられた空洞部における排気に含まれている水蒸気をプールしておいて該空洞部内の保湿をいっそう高めることにより吸気における保湿をいっそう高め、しかも、衛生マスクを装着したときの違和感をいっそう感じさせない衛生マスクを提供することができる。
【００１８】
請求項５に記載された本発明によれば、前記枠体の上辺中央の鼻に接触する内周の部分に、鼻にフィットさせるための切り欠きが設けられているので、衛生マスクが左右にずれることを防止することができると共に、前記枠体と鼻との間の隙間をうめて前記空洞部にプールされた水蒸気を逃がさないようにすることができる。
【００１９】
請求項６に記載された発明によれば、前記枠体が、前記衛生マスク本体の裏面の外周近傍に両面接着テープ、ホットメルト接着剤、液状接着剤、超音波溶接、又は、高周波ミシンで固着されているので、前記枠体が前記衛生マスク本体の裏面から剥がれることがない。
【００２０】
請求項７に記載された発明によれば、（イ）上縁部分に開口を有する平面視矩形のポケットが、前記衛生マスク本体を構成する前記２枚以上の通気性を有する材料における隣接する２枚の通気性を有する材料で構成され、（ロ）前記ポケットが、前記枠体の中央に設けられた空洞部に対応する部分に配置され、そして、（ハ）前記ポケットには、保液シートが挿入されているので、前記保液シートに水分を含浸させれば、前記空洞部においてプールしておいた排気に含まれている水蒸気に加えて保液シートから放出された水蒸気をもプールして該空洞部内の保湿をいっそう高めることにより吸気における保湿をいっそう高め、しかも、衛生マスクを装着したときの違和感を感じさせない衛生マスクを提供することができる。
【００２１】
請求項８に記載された発明によれば、（イ）通気性を有する材料で形成された上縁部分に開口を有する平面視矩形の別体として形成されたポケットが、前記衛生マスク本体の裏面と前記枠体の表面との間に設けられ、（ロ）前記ポケットが、前記枠体の中央に設けられた空洞部に対応する部分に配置され、そして、（ハ）前記ポケットには、保液シートが挿入されているので、前記保液シートに水分を含浸させれば、前記空洞部においてプールしておいた排気に含まれている水蒸気に加えて保液シートから放出された水蒸気をもプールして該空洞部内の保湿をいっそう高めることにより吸気における保湿をいっそう高め、しかも、衛生マスクを装着したときの違和感を感じさせない衛生マスクを提供することができる。
【発明を実施するための最良の形態】
【００２２】
図１は、本発明の一実施の形態を示す衛生マスクであって、（ａ）は、その斜視図であり、そして、（ｂ）は、その使用状態を示す断面である。図２は、本発明の他の一実施の形態を示す衛生マスクである。図３は、本発明の他の一実施の形態を示す衛生マスクである。図４は、本発明の一実施の形態を示す衛生マスクにおける枠体の他の形状を示す説明図である。
【００２３】
図１に示されているように、本発明の衛生マスク１０は、１枚又は２枚以上の通気性を有する材料で形成された衛生マスク本体１と、前記衛生マスク本体１の裏面の外周近傍に接着固定された通気性及び保湿性を有する材料で形成された柔軟な枠体４と、前記枠体４の中央部に設けられた空洞部５と、を有している。図１において、７は、ひもであり、４ａは、枠体４の外周であり、そして、４ｂは、枠体４の内周である。
【００２４】
このように、１枚又は２枚以上の通気性を有する材料で形成された衛生マスク本体１と、前記衛生マスク本体１の裏面の外周近傍に接着固定された通気性及び保湿性を有する材料で形成された柔軟な枠体４と、前記枠体４の中央部に設けられた空洞部５と、を有していると、衛生マスク１０を装着した時に感じる息苦しさを緩和することができると共に、前記衛生マスク本体１の裏面の外周近傍に接着固定された枠体４の中央部に設けられた空洞部５における排気に含まれている水蒸気をプールしておいて該空洞部５内の保湿を高めることにより吸気における保湿を高め、しかも、衛生マスク１０を装着したときの違和感を感じさせない衛生マスク１０を提供することができる。そして、前記枠体４の中央部に設けられた空洞部５にプールされた水蒸気を含む吸気によって、上気道の粘膜が加湿されて湿潤に保たれるので、ウイルスの付着や増殖を防止することができ、また、花粉症の予防にも役立つ。さらに、前記枠体４の中央部に空洞部５が設けられていると、会話しやすくなる。
【００２５】
前記衛生マスクにおいては、前記枠体４を構成する柔軟な保湿シートは、ポリエステル、セルロース繊維及びアクリル繊維から選ばれる繊維を構成繊維とする柔軟な不織繊維ウエッブ又は不織布、或いは、連続気泡を有するウレタン発泡体で構成されている。このように、前記枠体４を構成する柔軟な保湿シートが、ポリエステル、セルロース繊維及びアクリル繊維から選ばれる繊維を構成繊維とする柔軟な不織繊維ウエッブ又は不織布、或いは、連続気泡を有するウレタン発泡体で構成されていると、通気性があること、顔にフイットして隙間がなくなること、柔軟性があること、といった利点がある。そして、「通気性があること」によって、衛生マスク１０を装着した時に感じる息苦しさを緩和することができ、また、「顔にフイットして隙間がなくなること」によって、前記空洞部５において排気に含まれている水蒸気をプールして該空洞部５内の保湿を高めることができ、また、「柔軟性があること」によって、衛生マスク１０を装着したときの違和感を感じさせないようにするこよができる。
【００２６】
前記衛生マスクにおいては、前記枠体４の幅ｄが１０ｍｍ未満であると、前記空洞部にプールされる水蒸気量が低下し、そして、前記枠体４の幅ｄが３５ｍｍを越えると、通気が悪くなって息苦しくなるので、前記枠体４の幅ｄは、好ましくは、１０〜３５ｍｍである。また、前記枠体４の厚さｔが５ｍｍ未満であると、通気量が多くなりすぎて前記空洞部にプールされる水蒸気量が低下し、そして、前記枠体４の厚さｔが２０ｍｍを越えると、通気量が低下して息苦しくなるので、前記枠体４の厚さｔは、好ましくは、５〜２０ｍｍである。また、前記枠体４の目付量が１００ｇ／ｍ2 未満であると、通気量が多くなりすぎて前記空洞部にプールされる水蒸気量が低下し、そして、前記枠体４の目付量が３５０ｇ／ｍ2 を越えると、通気量が低下して息苦しくなるので、前記枠体４の目付量は、好ましくは、１００〜３５０ｇ／ｍ2 である。
【００２７】
したがって、本発明においては、前記柔軟な枠体４は、好ましくは、ポリエステル、セルロース繊維及びアクリル繊維から選ばれる繊維を構成繊維とする不織繊維ウエッブ又は不織布で構成され、前記枠体４の厚さｔは、好ましくは、５〜２０ｍｍであり、前記枠体４の幅ｄは、好ましくは、１０〜３５ｍｍであり、そして、前記枠体の目付量は、好ましくは、１００〜３５０ｇ／ｍ2 である。このように、前記柔軟な枠体４が、ポリエステル、セルロース繊維及びアクリル繊維から選ばれる繊維を構成繊維とする不織繊維ウエッブ又は不織布で構成され、前記枠体４の厚さｔが、５〜２０ｍｍであり、前記枠体４の幅ｄが、１０〜３５ｍｍであり、そして、前記枠体４の目付量が、１００〜３５０ｇ／ｍ2 であると、衛生マスク１０を装着した時に感じる息苦しさをいっそう緩和することができると共に、前記衛生マスク本体１の裏面の外周近傍に接着固定された枠体４の中央部に設けられた空洞部５における排気に含まれている水蒸気をプールして該空洞部５内の保湿を高めることができ、しかも、衛生マスク１０を装着したときの違和感をいっそう感じさせない衛生マスク１０を提供することができる。
【００２８】
本発明においては、前記柔軟な枠体４は、好ましくは、連続気泡を有するウレタン発泡体で構成され、前記枠体４の厚さｔは、好ましくは、５〜２０ｍｍであり、そして、前記枠体４の幅ｄは、好ましくは、１０〜３５ｍｍである。このように、前記柔軟な枠体４が、連続気泡を有するウレタン発泡体で構成され、前記枠体４の厚さｔが、５〜２０ｍｍであり、そして、前記枠体４の幅ｄが、１０〜３５ｍｍであると、衛生マスク１０を装着した時に感じる息苦しさをいっそう緩和することができると共に、前記衛生マスク本体１の裏面の外周近傍に接着固定された枠体４の中央部に設けられた空洞部５における排気に含まれている水蒸気をプールして該空洞部内の保湿を高めることができ、しかも、衛生マスク１０を装着したときの違和感をいっそう感じさせない衛生マスク１０を提供することができる。
【００２９】
本発明においては、前記通気性を有する材料で形成された衛生マスク本体１は、好ましくは、柔軟な不織布、ガーゼ等の通気性の材料で構成されているが、本発明の目的に反しないかぎり、前記材料以外の衛生マスク１０において使用されている公知の材料で構成されていてもかまわない。また、前記衛生マスク本体１が２枚以上の通気性を有する材料１ａ，１ｂで構成されている場合には、前記２枚以上の通気性を有する材料１ａ，１ｂは、それらの外周近傍部分において、両面接着テープ、ホットメルト接着剤、液状接着剤、熱溶融、超音波溶接、高周波ミシン等の手段によって、点線状、線状又は一定幅の面状に固着されている。前記点線状、又は、線状の固着は、複数列に設けられていてもかまわない。
【００３０】
本発明においては、前記枠体４の外周４ａの形状は、好ましくは、衛生マスク本体１の外周の形状と同じであり、そして、前記枠体４の内周４ｂの形状（即ち、空洞部５の形状）は、好ましくは、矩形（図１を参照。）、楕円形（図４（ａ），（ｂ）を参照。）、円形、又は、三角形であるが、本発目の目的に反しないかぎり、これら以外の形状であってもかまわない。
【００３１】
本発明においては、前記枠体４の上辺中央の鼻に接触する内周４ｂの部分に、鼻にフィットさせるための切り欠き６が設けられている。このように、前記枠体４の上辺中央の鼻に接触する内周４ｂの部分に、鼻にフィットさせるための切り欠き６が設けられていると、衛生マスク１０が左右にずれることを防止する頃ができると共に、前記枠体４と鼻との間の隙間をうめて前記空洞部５にプールされた水蒸気を逃がさないようにすることができる。
【００３２】
本発明においては、前記枠体４は、好ましくは、前記衛生マスク本体１の裏面の外周近傍に両面接着テープ、ホットメルト接着剤、液状接着剤、熱溶融、超音波溶接、又は、高周波ミシン等の接着手段で接着固定されている。このように、前記枠体４が前記衛生マスク本体１の裏面の外周近傍に両面接着テープ、ホットメルト接着剤、液状接着剤、熱溶融、超音波溶接、高周波ミシン等の接着手段で接着固定されていると、前記枠体４が前記衛生マスク本体１の裏面から剥がれることがない。
【００３３】
図２に示されているように、本発明においては、（イ）上縁部分に開口３を有する平面視矩形のポケット２が、前記衛生マスク本体１を構成する前記２枚以上の通気性を有する材料１ａ，１ｂにおける隣接する２枚の通気性を有する材料１ａ，１ｂで構成され、（ロ）前記ポケット２が、前記枠体４の中央に設けられた空洞部５に対応する部分に配置され、そして、（ハ）前記ポケット２には、保液シート１００が挿入されている。前記ポケット４は、好ましくは、熱溶融、超音波溶接、又は、高周波ミシンによって、点線状、線状又は一定幅の面状に固着されているが、本発明の目的に反しない限り、これら以外の固着手段によって固着されていてもかまわない。
【００３４】
このように、（イ）上縁部分に開口３を有する平面視矩形のポケット２が、前記衛生マスク本体１を構成する前記２枚以上の通気性を有する材料１ａ，１ｂにおける隣接する２枚の通気性を有する材料１ａ，１ｂで構成され、（ロ）前記ポケット２が、前記枠体４の中央に設けられた空洞部５に対応する部分に配置され、そして、（ハ）前記ポケット４には、保液シート１００が挿入されていると、前記保液シート１００に水分を含浸させれば、前記空洞部５における排気に含まれている水蒸気に加えて保液シート１００から放出された水蒸気をも該空洞部５にプールすることができ、そのために、さらに、吸気おける保湿を高めた衛生マスク２０を提供することができる。
【００３５】
図３に示されているように、本発明においては、（イ）通気性を有する材料で形成された上縁部分に開口３を有する平面視矩形の別体として形成されたポケット２が、前記衛生マスク本体１の裏面と前記枠体４の表面との間に設けられ、（ロ）前記ポケット２が、前記枠体４の中央に設けられた空洞部５に対応する部分に配置され、そして、（ハ）前記ポケット２には、保液シート１００が挿入されている。このように、（イ）通気性を有する材料で形成された上縁部分に開口３を有する平面視矩形の別体として形成された２が、前記衛生マスク本体１の裏面と前記枠体４の表面との間に設けられ、（ロ）前記ポケット２が、前記枠体４の中央に設けられた空洞部５に対応する部分に配置され、そして、（ハ）前記ポケット２には、保液シート１００が挿入されていると、前記保液シート１００に水分を含浸させれば、前記空洞部５における排気に含まれている水蒸気に加えて保液シート１００から放出された水蒸気をも該空洞部５にプールすることができ、そのために、さらに、吸気における保湿を高めた衛生マスク３０を提供することができる。
【００３６】
図２，３に示されているように、本発明においては、前記保液シート１００の周縁部が接着又は融着された封止帯１１１で概ね囲まれている。このように、前記保液シート１００の周縁部が接着又は融着された封止帯１２で概ね囲まれていると、水が含浸された前記保液シート１００から、水が漏れるようなことがない。
【００３７】
前記保液シート１００は、例えば、フェルト、不織布、又は、不織繊維ウェブで構成されている。これらのフェルト、不織布、又は、不織繊維ウェブは、好ましくは、ニードルパンチ加工によって固定されている。前記「ニードルパンチ加工」は、典型的には、多数のニードリング針を植え込んだニードル板によるニードルパンチ加工であるが、多数の柱状流によるニードルパンチ加工も好適に用いられる。また、網体の間に挟んだ不織繊維ウエッブに水流ジェット流を作用させることによるニードルパンチ加工を用いてもよい。このように、前記保液区画部１１の前記フェルト、又は、不織繊維ウェブが、ニードルパンチ加工によって固定されていると、それらを構成する繊維の絡まりが増加し、そのために、前記保液シート１００の保水性が向上する。前記保液シート１００は、本発明の目的に反しない限り、前記したフェルト、不織布、又は、不織繊維ウェブで構成されていてもかまわない。
【００３８】
（実施例１）
スパンボンド法によって製造されたポリプロピレン繊維で構成される通気性を有する不織布を上下方向に連続して３段にわたって折り曲げて全体として矩形の折り曲げ体を形成した後、この折り曲げ体の外周近傍部分を点線状に熱溶着させて縦９０ｍｍ、横１４５ｍｍ、厚さ１ｍｍの衛生マスク本体を形成した。そして、この衛生マスク本体の裏面の外周近傍に、ポリプロピレン繊維とレーヨン繊維とで構成さる繊維ウエッブにニードリング処理及び接着剤処理が順次施されて製造された通気性及び保湿性を有する不織布で形成された縦９０ｍｍ、横１４５ｍｍ、厚さ１０ｍｍ、幅１５ｍｍ、目付量１５０ｇ／ｍ2 の柔軟な枠体を、両面接着剤を用いて接着して、前記枠体の中央部に空洞部が設けられた衛生マスク（図１を参照）を得た。
【００３９】
（実施例２）
スパンボンド法で製造されたポリプロピレン繊維よりなる通気性を有する不織布で形成された上縁部分に開口を有する平面視矩形の別体として形成されたポケットを前記衛生マスク本体の裏面と前記枠体の表面との間において両面接着剤で接着して、前記ポケットを前記枠体の中央に設けられた空洞部に対応する部分に配置した後、前記ポケットに保液シートを挿入した以外は、実施例１と同様にして衛生マスク（図３を参照）を得た。
【００４０】
（比較例１）
スパンボンド法によって製造されたポリプロピレン繊維で構成される通気性を有する不織布を上下方向に連続して３段にわたって折り曲げて全体として矩形の折り曲げ体を形成した後、この折り曲げ体の外周近傍部分を点線状に熱溶着させて縦９０ｍｍ、横１４５ｍｍ、厚さ１ｍｍの衛生マスクを形成した。
【００４１】
（比較例２）
スパンボンド法で製造されたポリプロピレン繊維よりなる通気性を有する不織布で形成された上縁部分に開口を有する平面視別体として形成されたポケットを前記衛生マスクの裏面の上縁近傍部分に両面接着剤を用いて接着した後、前記ポケットに保液シートを挿入した以外は、比較例１と同様にして衛生マスクを得た。
【００４２】
以上、実施例１及び比較例１で得られた衛生マスクの通気性試験を「ＪＩＳ  Ｌ  １０９６：１９９９  ８．２７．１  Ａ法（フラジール形法）」で測定し、そして、１時間後のマスク内部における平均湿度（下段は最高湿度）及び１時間後のマスク内部における温度を測定した。測定結果は、次の表１に示される。
【００４３】
【表１】
2009247614.tif 000003
【図面の簡単な説明】
【００４４】
【図１】本発明の一実施の形態を示す衛生マスクであって、（ａ）は、その斜視図であり、そして、（ｂ）は、その使用状態を示す断面である。
【図２】本発明の他の一実施の形態を示す衛生マスクである。
【図３】本発明の他の一実施の形態を示す衛生マスクである。
【図４】本発明の一実施の形態を示す衛生マスクにおける枠体の他の形状を示す説明図である。
【符号の説明】
【００４５】
１  衛生マスク本体
１ａ，１ｂ  通気性を有する材料
２  ポケット
３  開口
４  枠体
４ａ  外周
４ｂ  内周
６  切り欠き
７  ひも
１０，２０，３０  衛生マスク
１００  保液シート
１１１  封止部
ｄ  枠体の幅
ｔ  枠体の厚み
【図１】
2009247614.tif 000004
【図２】
2009247614.tif 000005
【図３】
2009247614.tif 000006
【図４】
2009247614.tif 000007